(57)【要約】【課題】本発明は給液ノズルが自動閉弁動作した後の併せ込み操作を行なう際の操作ミスにより燃料が給液口から溢れることを課題とする。【解決手段】燃料供給装置１００の制御装置２５０は、ノズルスイッチ１５０ａ、流量計１９０のパルス発信器１９０ａから出力された各信号が供給されると共に、所定の演算処理を行って給液ポンプ２００のポンプモータ２００ａ、流量制御弁２３０を制御し、流量表示器２７０に計測された現在の給液量を表示させる。また、制御装置２５０は、流量計による流量を読み込み、当該流量から所定低流量以下の給液が所定時間継続しているか否かを判定する低流量判定手段と、流量が低流量以下の給液が所定時間継続していると判定された場合に、それ以降の整数となる数値を目標流量として設定する目標流量設定手段と、設定された目標流量が供給されたとき燃料供給手段を停止させるプリセット制御手段とを有する。【選択図】図３
2008247407.tif 000002
【特許請求の範囲】
【請求項１】
ノズルレバーの操作により開弁または閉弁動作する弁体の弁開度に応じた流量の燃料を吐出し、該燃料の流速によって発生する負圧により空気を導入する空気導入口が液面に閉塞されることで該弁体の弁部の係止を解除して該弁部を閉弁動作させる自動閉弁機構を有する給液ノズルと、
該給液ノズルに燃料を供給する燃料供給手段と、
該燃料供給手段から供給される燃料の流量を計測する流量計と、
を有する燃料供給装置において、
前記流量計による流量を読み込み、当該流量から所定低流量以下の給液が所定時間継続しているか否かを判定する低流量判定手段と、
該低流量判定手段により前記低流量以下の給液が所定時間継続していると判定された場合に、それ以降の整数となる数値を目標流量として設定する目標流量設定手段と、
該目標流量設定手段により設定された目標流量が供給されたとき前記燃料供給手段を停止させるプリセット制御手段と、
を備えたことを特徴とする燃料供給装置。
【請求項２】
ノズルレバーの操作により開弁または閉弁動作する弁体の弁開度に応じた流量の燃料を吐出し、該燃料の流速によって発生する負圧により空気を導入する空気導入口が液面に閉塞されることで該弁体の弁部の係止を解除して該弁部を閉弁動作させる自動閉弁機構を有する給液ノズルと、
該給液ノズルに燃料を供給する燃料供給手段と、
該燃料供給手段から供給される燃料の流量を計測する流量計と、
を有する燃料供給装置において、
前記流量計による流量を読み込み、当該流量から所定低流量以下の給液が所定時間継続しているか否かを判定する低流量判定手段と、
該低流量判定手段により前記低流量以下の給液が所定時間継続していると判定された場合に、それ以降の給液量と単価から求まる金額の端数がゼロとなる数値を目標金額として設定する目標金額設定手段と、
該目標金額設定手段により設定された目標金額に相当する流量が供給されたとき前記燃料供給手段を停止させるプリセット制御手段と、
を備えたことを特徴とする燃料供給装置。
【請求項３】
ノズルレバーの操作により開弁または閉弁動作する弁体の弁開度に応じた流量の燃料を吐出し、該燃料の流速によって発生する負圧により空気を導入する空気導入口が液面に閉塞されることで該弁体の弁部の係止を解除して該弁部を閉弁動作させる自動閉弁機構を有する給液ノズルと、
該給液ノズルに燃料を供給する燃料供給手段と、
該燃料供給手段から供給される燃料の流量を計測する流量計と、
を有する燃料供給装置において、
前記流量計による流量を読み込み、当該流量から所定低流量以下の給液が所定時間継続しているか否かを判定する低流量判定手段と、
該低流量判定手段により前記低流量以下の給液が所定時間継続していると判定された場合に、それ以降の整数となる数値を目標流量として設定する目標流量設定手段と、
前記低流量判定手段により前記低流量以下の給液が所定時間継続していると判定された場合に、それ以降の給液量と単価から求まる金額の端数がゼロとなる数値を目標金額として設定する目標金額設定手段と、
前記目標流量設定手段により設定された目標流量、または前記目標金額設定手段により設定された目標金額に相当する流量が供給されたとき前記燃料供給手段を停止させるプリセット制御手段と、
前記目標流量設定手段または前記目標金額設定手段の何れかを指定する併せ込みモード指定手段と
を備えたことを特徴とする燃料供給装置。
【請求項４】
前記低流量判定手段は、前記給液ノズルのノズルレバーを開弁操作して給液が開始されてから所定時間経過した後或いは所定の給液量に達した後に前記流量計により計測される流量が予め設定された低流量以下の給液が所定時間継続しているか否かを判定することを特徴とする請求項１乃至３の何れかに記載の燃料供給装置。
【発明の詳細な説明】
【技術分野】
【０００１】
本発明は燃料供給装置に係り、特に吐出される流速によって生じる負圧を利用して液面を検知すると共に、弁体を閉弁動作させる給液ノズルを用いて燃料を供給するよう構成された燃料供給装置に関する。
【背景技術】
【０００２】
燃料供給装置として、ガソリンスタンドなどの給油所に設置された給液装置を例に挙げて以下説明する。近年、運転者自身が給液ノズルの操作を行なうセルフサービス方式の給液装置が広く普及しており、給液ノズルの操作に慣れていない運転者も自動車への燃料供給を行なう場合も多い。
【０００３】
給液ノズルは、燃料タンクに供給された油液の液面が上昇して給液口の近傍に達すると、液面を検知して自動的に閉弁動作する自動閉弁機構が設けられており、給液口から油液がオーバーフローすることを防止するように構成されている。
【０００４】
ここで、給液ノズルの一般的な構成について説明する。図１は給液ノズルの縦断面図である。図２は給液ノズルの横断面図である。図１及び図２に示されるように、給液ノズル１０は、自動車の燃料タンクの給液口に挿入される吐出パイプ１２と、吐出パイプ１２の先端側に設けられた空気導入口１４と、吐出パイプ１２に連通された給液流路の途中に設けられノズルレバー１６に応動して開閉する主弁体１８が着座する弁座２０と、吐出パイプ１２より吐出される液体の流速に応じて負圧を発生させる負圧発生部２２とを有する。
【０００５】
さらに、給液ノズル１０は、負圧発生部２２で発生した負圧により空気導入口１４から空気を吸引する空気吸引管路２４と、負圧発生部２２の圧力に応じて変位するダイヤフラム２６と、ダイヤフラム２６に係止され、ノズルレバー１６の開弁操作により主弁体１８の弁軸２８を開弁位置に係止し、空気導入口１４が液面に閉塞されて空気吸引管路２４からの空気導入が遮断されることにより変位するダイヤフラム２６の作動により主弁体１８の弁軸２８と２９との係止を解除する係止部材３０とを有する。
【０００６】
この給液ノズル１０では、液面が吐出パイプ１２の下方に離間している給液途中の状況において、負圧発生部２２で流速に応じた負圧を発生させるため、空気導入口１４から空気が負圧発生部２２に導入されており、ダイヤフラム２６が係止部材３０による弁軸２８，２９の係止を保持する係止位置にある。給液に伴ってタンク内の液面が上昇することにより、空気導入口１４が閉塞されると、空気導入口１４からの空気導入が停止するため、ダイヤフラム２６が負圧発生部２２からの負圧により係止解除方向に動作して係止部材３０を弁軸２８，２９から離間させる。
【０００７】
これにより、ノズルレバー１６が連結された弁軸２９に対して弁軸２８が軸方向に移動するため、主弁体１８は、弁軸２８と共に閉弁方向に動作して弁座２０に当接し、給液を停止させる。給液ノズル１０は、このような自動閉弁機構を内蔵しているので、ノズルレバー１６を開弁操作したままでも液面が空気導入口１４を閉塞した時点で給液を自動的に停止することができる。
一方、給液ノズル１０の自動閉弁機構が動作して給液が停止された場合に、運転者が表示器に表示された給液量または給液金額の１桁の数値がゼロとなるようにノズルレバー１６を開弁操作することがある。その際、運転者は、給液ノズル１０のノズルレバー１６を断続的に開弁操作することで、少量ずつの給液を複数回行なうことにより給液量または給液金額の端数をゼロに合わせるようにしている。
【０００８】
このように、給液ノズル１０のノズルレバー１６を断続的に開弁操作する併せ込み操作を行なう場合、給液が終了するまでに余計な時間を要することになる。このような併せ込み操作に要する時間を短縮する手段として、給液量の小数点以下の端数が表示され、且つ流量計により計測された累積流量値が「．９０」から「．９９」になるまでの経過時間が所定時間以上であるとき、併せ込み操作を行っているものと判断して弁機構の１段弁を閉弁させ、２段弁により小流量による整数給液を可能にするように弁開度を制御するものがある（例えば、特許文献１参照）。
【特許文献１】特開２０００−７９９９６号公報
【発明の開示】
【発明が解決しようとする課題】
【０００９】
しかしながら、上記従来の燃料供給装置では、運転者が流量計により計測された累積流量値を表示器で見ながら給液ノズルのノズルレバーを操作することになるため、給液ノズルが挿入された給液口を見ていないので、給液口から油液が溢れても気付かない場合があり、運転者が知らないうちに油液が溢れて給油所のコンクリート面に油液が撒かれた状態になってしまうおそれがあった。
【００１０】
そこで、本発明は上記事情に鑑み、上記課題を解決した燃料供給装置を提供することを目的とする。
【課題を解決するための手段】
【００１１】
上記課題を解決するため、本発明は以下のような手段を有する。
【００１２】
本発明は、ノズルレバーの操作により開弁または閉弁動作する弁体の弁開度に応じた流量の燃料を吐出し、該燃料の流速によって発生する負圧により空気を導入する空気導入口が液面に閉塞されることで該弁体の弁部の係止を解除して該弁部を閉弁動作させる自動閉弁機構を有する給液ノズルと、該給液ノズルに燃料を供給する燃料供給手段と、該燃料供給手段から供給される燃料の流量を計測する流量計と、を有する燃料供給装置において、前記流量計による流量を読み込み、当該流量から所定低流量以下の給液が所定時間継続しているか否かを判定する低流量判定手段と、該低流量判定手段により前記低流量以下の給液が所定時間継続していると判定された場合に、それ以降の整数となる数値を目標流量として設定する目標流量設定手段と、該目標流量設定手段により設定された目標流量が供給されたとき前記燃料供給手段を停止させるプリセット制御手段と、を備えることにより上記課題を解決するものである。
本発明は、ノズルレバーの操作により開弁または閉弁動作する弁体の弁開度に応じた流量の燃料を吐出し、該燃料の流速によって発生する負圧により空気を導入する空気導入口が液面に閉塞されることで該弁体の弁部の係止を解除して該弁部を閉弁動作させる自動閉弁機構を有する給液ノズルと、該給液ノズルに燃料を供給する燃料供給手段と、該燃料供給手段から供給される燃料の流量を計測する流量計と、を有する燃料供給装置において、前記流量計による流量を読み込み、当該流量から所定低流量以下の給液が所定時間継続しているか否かを判定する低流量判定手段と、該低流量判定手段により前記低流量以下の給液が所定時間継続していると判定された場合に、それ以降の給液量と単価から求まる金額の端数がゼロとなる数値を目標金額として設定する目標金額設定手段と、該目標金額設定手段により設定された目標金額に相当する流量が供給されたとき前記燃料供給手段を停止させるプリセット制御手段と、を備えることにより上記課題を解決するものである。
本発明は、ノズルレバーの操作により開弁または閉弁動作する弁体の弁開度に応じた流量の燃料を吐出し、該燃料の流速によって発生する負圧により空気を導入する空気導入口が液面に閉塞されることで該弁体の弁部の係止を解除して該弁部を閉弁動作させる自動閉弁機構を有する給液ノズルと、該給液ノズルに燃料を供給する燃料供給手段と、該燃料供給手段から供給される燃料の流量を計測する流量計と、を有する燃料供給装置において、前記流量計による流量を読み込み、当該流量から所定低流量以下の給液が所定時間継続しているか否かを判定する低流量判定手段と、該低流量判定手段により前記低流量以下の給液が所定時間継続していると判定された場合に、それ以降の整数となる数値を目標流量として設定する目標流量設定手段と、前記低流量判定手段により前記低流量以下の給液が所定時間継続していると判定された場合に、それ以降の給液量と単価から求まる金額の端数がゼロとなる数値を目標金額として設定する目標金額設定手段と、前記目標流量設定手段により設定された目標流量、または前記目標金額設定手段により設定された目標金額に相当する流量が供給されたとき前記燃料供給手段を停止させるプリセット制御手段と、前記目標流量設定手段または前記目標金額設定手段の何れかを指定する併せ込みモード指定手段とを備えることにより上記課題を解決するものである。
本発明は、前記低流量判定手段が、前記給液ノズルのノズルレバーを開弁操作して給液が開始されてから所定時間経過した後或いは所定の給液量に達した後に前記流量計により計測される流量が予め設定された低流量以下の給液が所定時間継続しているか否かを判定することにより上記課題を解決するものである。
【発明の効果】
【００１３】
本発明によれば、予め設定された低流量以下の給液が所定時間継続していると判定された場合に、それ以降の整数となる数値を目標流量として設定し、当該目標流量が供給されたとき燃料供給手段を停止させるため、給液ノズルの自動閉弁機構による給液を停止した後の所謂併せ込み操作をしようとすると、給液量または給液金額の端数をゼロになるように自動的に給液を停止させるプリセット制御を行なうことができ、流量表示器を見なくても併せ込みが行えることになる。そのため、操作者は、燃料タンクの給液口及び給液ノズルから目を離すことなく併せ込みが自動的に行なわれて給液を停止させられるので、給液口から油液が溢れることがなく、万が一油液が溢れそうになった場合には、給液ノズルのノズルレバーを閉弁位置に戻すことで油液が溢れることを防止することができる。
【発明を実施するための最良の形態】
【００１４】
以下、図面を参照して本発明を実施するための最良の形態について説明する。
【実施例１】
【００１５】
図３は本発明による燃料供給装置の一実施例を示す構成図である。図３に示されるように、燃料供給装置１００は、運転者（顧客）自身が給液操作を行なうセルフサービス方式の計量機からなる。燃料供給装置１００の筐体１２０側面には、給液ノズル１３０に接続された給液ホース１４０が引き出されている。給液ノズル１３０は、通常、筐体１２０の側面に設けられたノズル掛け１５０に掛止されており、例えば顧客の車両１６０が給油所に到着すると、給液ノズル１３０がノズル掛け１５０から外されて車両１６０の燃料タンク１６０ａの給液口１６０ｂに挿入される。
【００１６】
上記ノズル掛け１５０に設けられたノズルスイッチ１５０ａは、給液ノズル１３０がノズル掛け１５０から外されると、オフからオンになり、給液ノズル１３０がノズル掛け１５０に戻されると、オンからオフに切り換わる。
【００１７】
給液ホース１４０は、継手１４２を介して筐体１２０内で送液系路を形成する給液管路（給液経路）１７０に接続されている。この給液管路１７０の先端１７０ａは、油液貯蔵タンクとしての地下タンク１８０まで延在して挿入されており、給液管路１７０の途中には流量計１９０、給液ポンプ２００が配設されている。また、給液管路１７０には、給液ノズル１３０へ供給される油液の供給を制御するための流量制御弁２３０が配設されている。この流量制御弁２３０は、弁体の弁開度を調整するためのアクチュエータを有しており、アクチュエータに入力される制御信号により給液ノズル１３０へ供給する流量を制御するように構成されている。
【００１８】
尚、地下タンク１８０は油種毎に設けられており、例えばレギュラーガソリンが貯溜されており、その他の油種の地下タンクも図示しないが別個に設けられている。また、燃料供給装置１００には、各油種毎に複数の給液ノズルが設けられているが、図３では説明の便宜上一の給液ノズル１３０のみが示してある。また、給液ノズル１３０は、前述した図１及び図２に示す給液ノズル１０と同様に流速に応じて発生する負圧を利用して主弁の係止を解除させる自動閉弁機構を有する構成になっているので、その構成の説明は省略する。
【００１９】
また、給液ノズル１３０が上記ノズル掛け１５０から外されると、ノズルスイッチ１５０ａがオンになると共に、給液ポンプ２００が起動される。そして、給液ノズル１３０の吐出パイプ１３２が給液口１６０ｂに挿入されると、給液ノズル１３０のノズルレバー(図１、図２参照)の開弁操作により給液可能な状態になる。
【００２０】
制御装置（制御手段）２５０は、ノズルスイッチ１５０ａ、流量計１９０のパルス発信器１９０ａから出力された各信号が供給されると共に、所定の演算処理を行って給液ポンプ２００のポンプモータ２００ａ、流量制御弁２３０を制御し、流量表示器２７０に計測された現在の給液量を表示させる。また、制御装置２５０のメモリ２５２には、流量計１９０による流量を読み込み、当該流量から所定低流量以下の給液が所定時間継続しているか否かを判定する制御プログラム（低流量判定手段）と、低流量以下の給液が所定時間継続していると判定された場合に、それ以降の整数となる数値を目標流量として設定する制御プログラム（目標流量設定手段）と、設定された目標流量が供給されたとき燃料供給手段を停止させる制御プログラム（プリセット制御手段）とが格納されている。
【００２１】
ここで、制御装置２５０が実行する制御処理について説明する。図４は制御装置２５０が実行する制御処理を説明するためのメインフローチャートである。図５はＳ１８の低流量判定処理のサブルーチンを説明するためのフローチャートである。
【００２２】
図４のＳ１１において、制御装置２５０は、ノズルスイッチ１５０ａがオンか否かをチェックする。運転者（顧客）が給液ノズル１３０をノズル掛け１５０から外すと、ノズルスイッチ１５０ａがオン（ＹＥＳの場合）になるため、Ｓ１２に進み、流量表示器２７０の表示をゼロリセットする。
【００２３】
次のＳ１３では、給液ポンプ２００のポンプモータ２００ａを起動させて地下タンク１８０の油液を汲み上げる。続いて、Ｓ１４に進み、流量制御弁２３０を開弁（弁開度全開）する。そして、運転者が給液ノズル１３０の吐出パイプ１３２を給液口１６０ｂに挿入した後に、給液ノズル１３０のノズルレバーを開弁方向に操作することで、大流量による給液が開始される。
【００２４】
次のＳ１５では、目標給液量Ｑをゼロ（未設定）、低流量判定時間Ｔをゼロにセットする。
【００２５】
続いて、Ｓ１６に進み、給液ノズル１３０のノズルレバーが開弁操作されて給液が開始されている場合、流量計１９０のパルス発信器１９０ａから出力された流量パルスを積算して流量を計測する。
【００２６】
Ｓ１７では、給液開始と共に計測された流量計測値を流量表示器２７０に表示する。次のＳ１８では、流量計１９０により計測された流量計測値が予め設定された低流量以下（ゼロを含まない低流量範囲のことを意味する）に入っているか否かを判定する低流量判定処理（詳細は後述する）を行なう。
【００２７】
Ｓ１８の低流量判定処理（詳細は図５に示す）が終了すると、Ｓ１９に進み、計測された積算流量が目標給液量（目標量）と等しいか否かをチェックする。このＳ１９の目標給液量は、後述する低流量判定処理のＳ３７で小数点以下を切り捨てされた現在の給液量に１．００を加算した値が目標給液量Ｑに設定される。
【００２８】
Ｓ１９において、計測された積算流量が目標給液量Ｑに達していない場合（ＮＯの場合）、Ｓ２０に進み、ノズルスイッチ１５０ａがオフか否かをチェックしており、ノズルスイッチ１５０ａがオン（ＮＯの場合）であるときは、上記Ｓ１６に戻り、Ｓ１６以降の処理を繰り返す。また、Ｓ２０において、ノズルスイッチ１５０ａがオフ（ＹＥＳの場合）であるときは、給液ノズル１３０がノズル掛け１５０に戻されたため、給液が終了したものと判断してＳ２１に進み、流量制御弁２３０を閉弁し、給液ポンプ２００のポンプモータ２００ａへの通電を停止して今回の給液処理を終了する。
【００２９】
また、上記Ｓ１９において、計測された積算流量が目標給液量Ｑと等しい場合（ＹＥＳンの場合）は、流量計１９０によって計測された給液量（積算流量）が目標給液量Ｑに達しているため、Ｓ２２に進み、流量制御弁２３０を閉弁し、給液ポンプ２００のポンプモータ２００ａへの通電を停止する。これにより、給液終了時の給液量が端数を含まない整数値となる。さらに、Ｓ２３に進み、ノズルスイッチ１５０ａがオフか否かをチェックしており、ノズルスイッチ１５０ａがオフ（ＮＯの場合）であるときは、待機状態となり、ノズルスイッチ１５０ａがオン（ＹＥＳの場合）であるときは、給液ノズル１３０がノズル掛け１５０に戻されたため、給液が終了したものと判断して今回の給液処理を終了する。
【００３０】
ここで、上記Ｓ１８の低流量判定処理の詳細について説明する。図５のＳ３１で、目標給液量Ｑがゼロ（未設定：満タン給液モード）か否かをチェックする。Ｓ３１において、目標給液量Ｑがゼロでない場合（ＮＯの場合）は、目標給液量が設定済みであると判定して低流量判定処理を終了する。
【００３１】
また、上記Ｓ３１において、目標給液量Ｑがゼロの場合（ＹＥＳの場合）は、目標給液量Ｑが未設定であるので、Ｓ３２に進み、流量計１９０のパルス発信器１９０ａから出力された流量パルスの周期又は単位時間当たりのパルス数から流速を算出する。
【００３２】
続いて、Ｓ３３では、算出された流速が予め設定された下限判定値以上で、且つ予め設定された上限判定値以下であるか否かをチェックする。このＳ３３において、現在の流速が下限判定値以上で上限判定値以下の低流量範囲（ゼロを含まない）に入っていない場合（ＮＯの場合）は、給液ノズル１３０の弁開度が全開状態であり、まだ給液ノズル１３０で併せ込み操作が行なわれていないので、Ｓ３４に進み、低流量判定時間Ｔをゼロにセットする。
【００３３】
また、上記Ｓ３３において、現在の流速が下限判定値以上で上限判定値以下の低流量範囲（ゼロを含まない）に入っている場合（ＹＥＳの場合）は、給液ノズル１３０で併せ込み操作が行なわれているものと判断して、Ｓ３５に進み、低流量判定時間Ｔに１を加算する。
【００３４】
続いて、Ｓ３６では、低流量判定時間Ｔが判定時間ｔに達したか否かをチェックする。Ｓ３６において、Ｔ＜ｔのときは（ＮＯの場合）、低流量判定時間Ｔが判定時間ｔに達していないので、今回の低流量判定処理を終了する。例えば、Ｓ３５の処理回数が１回の場合には、低流量判定時間Ｔ＝１に対してｔ＝５とすると、（Ｔ＜ｔ）であるので、今回の低流量判定処理を終了する。尚、このＳ３６の処理は、低流量範囲内（ゼロを含まない）の給液が所定時間継続しているかを判定する処理に相当しており、併せ込み操作の有無を正確に判定することができる。上記低流量範囲がゼロを含まないのは、例えば、給液ノズル１３０をノズル掛け１５０から外した後、すぐに給液操作を行なわない場合を併せ込み操作であると誤判定しないようにするためである。
【００３５】
また、上記Ｓ３６において、Ｔ≧ｔのときは（ＹＥＳの場合）、低流量判定時間Ｔが判定時間ｔ以上に達しているので、給液ノズル１３０で併せ込み操作が行なわれているものと判定して、Ｓ３７に進む。例えば、ｔ＝５が設定されている場合にＳ３５の処理を５回繰り返してＴ＝５の場合には、ｔ＝５に対してＴ＝５（Ｔ≧ｔ）であるので、Ｓ３７に進む。
【００３６】
Ｓ３７では、小数点以下を切り捨てされた現在の給液量に１．００を加算した値を目標給液量に設定する。これにより、目標給液量Ｑは、前述したＳ１９で給液量と対比される規準値となる数値であり、現在の給液量の数値から次の整数となる数値が設定される。例えば、現在の給液量が２９．３リットルであれば、２９．０に１．０を加算した３０．０が目標給液量Ｑとして設定される。これにより、Ｓ１９における目標給液量Ｑは、常に整数の数値が設定されている。
【００３７】
次のＳ３８では、流量制御弁２３０の弁開度を小流量に絞り、給液ノズル１３０から吐出される流量を減少させる。これで、低流量判定処理は終了して前述したＳ１９の処理に戻る。
【００３８】
この低流量判定処理により、目標給液量が、Ｓ３７で小数点以下を切り捨てされた現在の給液量に１．００を加算した値が目標給液量Ｑに設定されるため、低流量による併せ込み操作が行なわれた場合は、常に端数のない整数値で給液が停止するようにプリセット制御を行なうことができる。よって、給液ノズル１３０を操作する操作者が給液口１６０ｂを見ないで給液ノズル１３０を操作している場合でも給液口１６０ｂから油液が溢れることを防止することができる。
次に変形例について説明する。図６は低流量判定処理の変形例１を示すフローチャートである。図６において、前述した図５の処理と同じ処理は、同一符号を付してその説明を省略する。
【００３９】
図６のＳ３７ａでは、目標金額の端数がゼロとなるように演算する。この変形例１では、上記Ｓ１９において、給液金額が目標金額に達したか否かをチェックすることになる。
【００４０】
Ｓ３７ａでは、まず、給液量と単価を乗じて現在の給液金額を算出する。次に、現在の給液金額を１００で割り、仮金額とする。このとき、小数点以下の数値は、切り捨てられる。次に現在の給液金額の端数がゼロになるように仮金額に１００を乗じ、さらに１００を加算して、端数がゼロになった目標金額を得る。
【００４１】
次に目標金額を単価で割って目標給液量を求める。これにより、変形例１では、Ｓ１９においては、給液金額の端数がゼロとなる目標給液量を用いてプリセット制御を行なうことができ、給液金額の端数をゼロとした給液が可能になる。
【００４２】
図７は低流量判定処理の変形例２を示すフローチャートである。図７において、前述した図５の処理と同じ処理は、同一符号を付してその説明を省略する。
【００４３】
図７のＳ３７ｂ〜Ｓ３７ｄでは、図３に破線で示す選択スイッチ(併せ込みモード指定手段)３００の金額選択ボタン３１０または給液量選択ボタン３２０の何れか一方がオンに操作された場合、給液金額を目標量とするプリセット制御、あるいは給液量を目標量とするプリセット制御を選択的に行なうようにプリセット制御モードを指定することができる。
Ｓ３７ｂにおいて、選択スイッチ３００の給液量選択ボタン３２０がオンに操作された場合は、Ｓ３７ｃに進み、前述したＳ３７と同様に、小数点以下を切り捨てされた現在の給液量に１．００を加算した値を目標給液量に設定する。
【００４４】
また、Ｓ３７ｂにおいて、金額選択ボタン３１０がオンに操作された場合は、Ｓ３７ｄに進み、前述したＳ３７ａと同様に、目標金額の端数がゼロとなるように演算する。
【００４５】
このように、変形例２では、金額選択ボタン３１０または給液量選択ボタン３２０を操作することにより給液金額を目標量とするプリセット制御、あるいは給液量を目標量とするプリセット制御を指定することができるので、操作者の好みに応じたプリセット制御を行なえる。
【００４６】
図８は低流量判定処理の変形例３を示すフローチャートである。図８において、前述した図５の処理と同じ処理は、同一符号を付してその説明を省略する。
【００４７】
図８のＳ３１ａでは、目標量がゼロ（未設定）で、且つ給液量が予め設定された判定開始量以上の場合（ＹＥＳの場合）にＳ３２に進み、前述したＳ３２以降の処理を実行する。また、Ｓ３１ａにおいて、目標量がゼロ（未設定）でないか、または給液量が予め設定された判定開始量未満の場合（ＮＯの場合、即ち、前記給液ノズルのノズルレバーを開弁操作して給液が開始されてからの給液量が判定開始量未満の場合）には、低流量判定処理を行なわずにＳ１９に戻る。
【００４８】
また、Ｓ３１ａにおいて、目標量がゼロ（未設定）であるか、または給液量が予め設定された判定開始量以上の場合（ＹＥＳの場合、即ち、前記給液ノズルのノズルレバーを開弁操作して給液が開始されてからの給液量が判定開始量以上の場合）には、前述したＳ３２以降の処理を実行する。
【００４９】
これにより、給液開始から給液量が所定量（判定開始量）に達するまでは、低流量判定処理を行なわないため、給液開始直後のレバー操作や自動閉弁機構の誤動作等により流量が安定していない状況を除外することができる。そのため、給液ノズル１３０の操作に慣れていない運転者が操作する場合でも確実に併せ込み操作時の低流量判定処理を確実に行なうことが可能になる。
【００５０】
なお、本実施の形態においては、前記給液ノズルのノズルレバーを開弁操作して給液が開始されてからの給液量が判定開始量未満の場合は低流量判定処理を行うようにしているが、これに代えて、前記給液ノズルのノズルレバーを開弁操作して給液が開始されてからの経過時間が所定の経過時間以上となった場合に低流量判定処理を行うようにしても良い。
【産業上の利用可能性】
【００５１】
上記実施例では、給油所に設置された燃料供給装置を例に挙げて説明したが、これに限らず、給油所以外の施設に設置された燃料供給装置にも本発明を適用することができるのは勿論である。
【００５２】
また、上記実施例では、ガソリンや軽油などの油液を給液する燃料供給装置について説明したが、油液以外の液体燃料を供給する場合にも本発明を適用することができるのは勿論である。
【図面の簡単な説明】
【００５３】
【図１】給液ノズルの縦断面図である。
【図２】給液ノズルの横断面図である。
【図３】本発明による燃料供給装置の一実施例を示す構成図である。
【図４】制御装置２５０が実行する制御処理を説明するためのメインフローチャートである。
【図５】Ｓ１８の低流量判定処理のサブルーチンを説明するためのフローチャートである。
【図６】低流量判定処理の変形例１を示すフローチャートである。
【図７】低流量判定処理の変形例２を示すフローチャートである。
【図８】低流量判定処理の変形例３を示すフローチャートである。
【符号の説明】
【００５４】
１００  燃料供給装置
１３０  給液ノズル
１５０  ノズル掛け
１５０ａ  ノズルスイッチ
１６０  車両
１６０ａ  燃料タンク
１６０ｂ  給液口
１７０  給液管路
１８０  地下タンク
１９０  流量計
２００  給液ポンプ
２３０  流量制御弁
２５０  制御装置（制御手段）
２５２  メモリ
２７０  流量表示器
３００  選択スイッチ
３１０  金額選択ボタン
３２０  給液量選択ボタン
【図１】
2008247407.tif 000003
【図２】
2008247407.tif 000004
【図３】
2008247407.tif 000005
【図４】
2008247407.tif 000006
【図５】
2008247407.tif 000007
【図６】
2008247407.tif 000008
【図７】
2008247407.tif 000009
【図８】
2008247407.tif 000010